(57)【特許請求の範囲】
【請求項１】
表示手段と、該表示手段の表示画面上に配置されてタッチ操作を検出するタッチパネルを備え、前記タッチパネルで検出したタッチ操作毎に前記表示手段で表示されている設定項目の設定値を更新するとともに、前記設定項目を制御する装置に対して更新後の設定値とするための信号を出力する入力装置において、
複数回連続操作された際のタッチ操作の時間間隔を計測する計測手段を備え、
前回のタッチ操作と同一方向に設定値を変更した場合、前回操作と今回操作の時間間隔が閾値未満のときと、閾値以上のときとでは、異なる変化量で設定値をタッチ操作の操作方向に変更することを特徴とする入力装置。
【請求項２】
前記時間間隔が閾値未満のときは、前記時間間隔が閾値以上のときの設定値が変化する変化量よりも大なる変化量で設定値をタッチ操作の操作方向に変更することを特徴とする請求項１に記載の入力装置。
【請求項３】
前記時間間隔が閾値未満のタッチ操作が、複数回継続して行われた際には、先に行われたタッチ操作による変化量よりも後に行われたタッチ操作による変化量を順に増大することを特徴とする請求項２に記載の入力装置。
【請求項４】
前記時間間隔が閾値未満のときは、前記時間間隔が閾値以上のときの設定値が変化する変化量よりも小なる変化量で設定値が減少することを特徴とする請求項１に記載の入力装置。
【請求項５】
前記時間間隔が閾値未満のタッチ操作が複数回継続して行われた際には、先に行われたタッチ操作による変化量よりも後に行われたタッチ操作による変化量を順に減少することを特徴とする請求項４に記載の入力装置。
【発明の詳細な説明】
【技術分野】
【０００１】
本発明は、タッチ操作で入力を行うことができる入力装置に関する。
【背景技術】
【０００２】
従来、自動車のフロントパネルには、オーディオ装置のボリューム調整、或いは空調装置の温度調整のために、表示装置の表示画面上にタッチパネルを備えた入力装置が組み込まれたものが提案されている。この種の入力装置では、オーディオ装置のボリュームを調整する場合は、前記表示画面に現在のオーディオ装置のボリューム値が表示されていて、タッチパネルのボリューム設定領域がタッチ操作される毎に、タッチパネルによりタッチ操作の検出が行われてボリュームアップ或いはボリュームダウンの更新信号がオーディオ装置に出力されるとともに、前記ボリューム値が前記タッチパネルに対する操作回数に応じて変更される。そして、入力装置から、タッチ操作された回数に応じて出力される更新信号の出力回数に比例してオーディオ装置のボリュームが変更される。
【０００３】
又、前記入力装置において、空調装置の温度設定を行う場合も同様にして、例えば、前記表示画面に設けられたタッチパネルの空調装置用温度設定領域がタッチ操作される毎に更新信号が空調装置のコントローラに出力される。そして、更新信号の出力回数に応じてコントローラは設定温度に応じて空調を温度コントロールするとともに、表示画面の設定温度は、タッチ操作毎に、アップ又はダウンする（以下、従来技術１という）。
【０００４】
なお、タッチパネルを操作して、入力を行う装置としては、タッチパネルを備えた携帯型端末装置が公知である（特許文献１）。特許文献１では、タッチパネルに対してドラッグ操作が行われた際に、そのドラッグ操作のスピードに応じて、表示画面のスクロール速度を変更することが開示されている（以下、従来技術２という）。
【先行技術文献】
【特許文献】
【０００５】
【特許文献１】特開２００３−３３０６１３号公報
【発明の概要】
【発明が解決しようとする課題】
【０００６】
従来技術１の入力装置では、タッチパネルのタッチ操作毎にオーディオ装置のボリューム値や、温度設定値を等量ずつ変更される。このため、現在の設定値から大きく変更したい場合や、細かな値に設定変更する場合は、操作回数を多くしたりする必要があり、入力操作性が悪い。
【０００７】
従来技術２では、ドラッグ操作のスピードに応じて、表示画面の表示対象物のスクロール速度を変更させることができる利点がある。ところで、従来技術２のドラッグ操作では、操作途中でそのドラッグ速度を変更することによって表示画面のスクロール速度の変更を行うことができるようにしている。すなわちドラッグ速度の変化で、スクロール量を変更させている。ドラッグ速度を検出するためには、携帯型端末装置の表示画面上のスタイラスペンの移動距離を長めにする必要があり、そのためには、スタイラスペンによりタッチ操作可能な領域を長くとる必要がある。従って、従来技術２を従来技術１に組み込みして、オーディオ装置のボリュームや、或いは空調装置の温度設定の設定値の変更をする場合、検出する領域を長くとる必要がある。
【０００８】
本発明の目的は、簡単な構成により、設定項目の設定値の変更のための入力操作性を向上できるとともに検出する領域を長くとる必要がない入力装置を提供することにある。
【課題を解決するための手段】
【０００９】
上記問題点を解決するために、請求項１の発明は、表示手段と、該表示手段の表示画面上に配置されてタッチ操作を検出するタッチパネルを備え、前記タッチパネルで検出したタッチ操作毎に前記表示手段で表示されている設定項目の設定値を更新するとともに、前記設定項目を制御する装置に対して更新後の設定値とするための信号を出力する入力装置において、複数回連続操作された際のタッチ操作の時間間隔を計測する計測手段を備え、前回のタッチ操作と同一方向に設定値を変更した場合、前回操作と今回操作の時間間隔が閾値未満のときと、閾値以上のときとでは、異なる変化量で設定値をタッチ操作の操作方向に変更することを特徴とする入力装置を要旨としている。
【００１０】
本明細書でのタッチ操作とは、タッチパネルに対して指でたたく（タップ）操作、タッチパネルに対して指で払う操作（フリップ）、タッチパネルに対して指で押さえたまま移動する操作を含む趣旨である。
【００１１】
請求項２の発明は、請求項１において、前記時間間隔が閾値未満のときは、前記時間間隔が閾値以上のときの設定値が変化する変化量よりも大なる変化量で設定値をタッチ操作の操作方向に変更することを特徴とする。
【００１２】
請求項３の発明は、請求項２において、前記時間間隔が閾値未満のタッチ操作が、複数回継続して行われた際には、先に行われたタッチ操作による変化量よりも後に行われたタッチ操作による変化量を順に増大することを特徴とする。
【００１３】
請求項４の発明は、請求項１において、前記時間間隔が閾値未満のときは、前記時間間隔が閾値以上のときの設定値が変化する変化量よりも小なる変化量で設定値が減少することを特徴とする。
【００１４】
請求項５の発明は、請求項４において、前記時間間隔が閾値未満のタッチ操作が複数回継続して行われた際には、先に行われたタッチ操作による変化量よりも後に行われたタッチ操作による変化量を順に減少することを特徴とする。
【発明の効果】
【００１５】
請求項１の発明によれば、簡単な構成により、設定項目の設定値の変更のための入力操作性を向上できるとともにタッチパネルを長くとる必要がない入力装置を提供できる。また、連続操作するタッチ操作の時間間隔を、閾値未満の時間間隔から閾値以上の時間間隔に変更する、或いは閾値以上の時間間隔から閾値未満の時間間隔に変更するだけで、設定項目の設定値の変化量を変えることができる。この場合、従来技術２と異なりタッチ操作する移動距離は長くする必要はない。
【００１６】
請求項２の発明によれば、時間間隔が閾値未満のときは、時間間隔が閾値以上のときの設定値が変化する変化量よりも大なる変化量で設定値をタッチ操作の操作方向に変更するため、設定項目の設定値の変更を早期に行うことができる。
【００１７】
請求項３の発明によれば、時間間隔が閾値未満のタッチ操作が、複数回継続して行われた際には、先に行われたタッチ操作による変化量よりも後に行われたタッチ操作による変化量を順に増大するため、より、設定項目の設定値の増大を早期に行うことができる。
【００１８】
請求項４の発明によれば、時間間隔が閾値未満のときは、前記時間間隔が閾値以上のときの設定値が変化する変化量よりも小なる変化量で設定値が減少するため、設定項目の設定値の減少を細かに行うことができる。
【００１９】
請求項５の発明によれば、時間間隔が閾値未満のタッチ操作が複数回継続して行われた際には、先に行われたタッチ操作による変化量よりも後に行われたタッチ操作による変化量を順に減少するため、請求項４よりも、より設定項目の設定値の減少を細かに行うことができる。
【図面の簡単な説明】
【００２０】
【図１】本発明を具体化した第１実施形態の入力装置のブロック図。
【図２】表示デバイスの空調コントロール表示モードの表示デバイスの表示画面の正面図。
【図３】入力装置のＣＰＵが実施する設定値の調整のフローチャート。
【図４】表示デバイスのオーディオコントロール表示モードの表示デバイスの表示画面の正面図。
【図５】（ａ）、（ｂ）は設定値の変化量の説明図。
【発明を実施するための形態】
【００２１】
（第１実施形態）
以下、本発明の入力装置を車両の空調装置７０及びオーディオ装置８０の入力装置に具体化した第１実施形態を図１〜図４を参照して説明する。
【００２２】
図１に示す入力装置１０は、図示しない車両のセンタコンソールパネルに設けられている。なお、入力装置１０の配置は、本実施形態では、運転席、或いは助手席にすわった人が操作しやすい場所としている。入力装置１０は、空調コントローラ６０及びオーディオ装置８０に電気的に接続されている。
【００２３】
空調コントローラ６０は、室内空間温度を制御する装置に相当する。オーディオ装置８０は音をボリュームを制御する装置に相当する。
入力装置１０は、表示手段としての表示デバイス２０、表示デバイス２０の表示画面上に設けられたタッチパネル３０、及び表示デバイス２０並びにタッチパネル３０と電気的に接続されたＣＰＵ（中央処理装置）４０を備えている。
【００２４】
表示デバイス２０は、液晶ディスプレイ、有機ＥＬディスプレイ、或いは多数の発光ダイオードからなり、画像情報に基づくＣＰＵ４０から出力された制御信号により、数値等の表示が可能である。タッチパネル３０は、表示デバイス２０の表示画面を透明なパネルで覆うように配置されている。タッチパネル３０は、静電容量式、抵抗膜式、表面弾性波式、電磁誘導式、マトリックススイッチ式等のいずれの方式であってもよい。
【００２５】
図２、図４は、表示デバイス２０の表示画面２１をタッチパネル３０を通して見たところを示している。図２、図４においては、説明の便宜上、表示デバイス２０に関する符号の引出線は点線で示し、タッチパネル３０に関する部分の符号の引出線は実線で示すこととする。
【００２６】
タッチパネル３０は、ガイド表示領域２３ａ，２３ｂ，２４ａ，２４ｂ上で操作されたタッチ操作（指でたたくタップ、指で払う（なぞる）操作、すなわちフリップ、指で押さえたまま移動する操作）を検出可能である。
【００２７】
表示デバイス２０は、空調コントロール表示モードと、オーディオコントロール表示モードに表示設定が可能である。すなわち、入力装置１０には、切替スイッチ５０が設けられていて、ＣＰＵ４０は、切替操作された切替スイッチ５０から切換信号を入力すると、表示デバイス２０の現在の表示モードから他方の表示モードに変更する。例えば、現在の表示モードが空調コントロール表示モードの場合、ＣＰＵ４０はオーディオコントロール表示モードに表示変更する。
【００２８】
（空調コントロール表示モード）
図２に示す空調コントロール表示モードでは、表示デバイス２０の表示画面２１の上部において、左右の部位は、数値を示す表示領域２２ａ，２２ｂとなる。左の表示領域２２ａは、図示しない助手席側の室内空間温度の設定値を表す領域である。右の表示領域２２ｂは、図示しない運転席側の室内空間温度の設定値を表す領域である。ここで表示領域２２ａ，２２ｂで表示される室内空間温度は、設定項目に相当する。
【００２９】
また、空調コントロール表示モードでは、表示デバイス２０の表示画面２１において、左右の表示領域２２ａ，２２ｂの下方の部位が、操作方向のガイド表示領域２３ａ，２３ｂ、２４ａ，２４ｂとなっている。操作方向のガイド表示領域２３ａには、温度設定を上げたい場合のタッチ操作方向（入力操作方向）を示す形状（例えば、矢印を示す形状）が表示される。操作方向のガイド表示領域２３ｂには、温度設定を下げたい場合のタッチ操作方向（入力操作方向）が表示される。
【００３０】
空調コントロール表示モードでは、入力装置１０のＣＰＵ４０は、入力操作された温度の設定値に応じた信号を空調装置７０の空調コントローラ６０に出力する。空調コントローラ６０は、前記信号に基づいて、制御対象の空調装置７０を制御する。すなわち、温度の設定値に応じた信号が、設定値を増加させる場合は空調コントローラ６０は、空調装置７０を更新後の設定値となるように空調装置７０を制御する。また、温度の設定値に応じた信号が、設定値を減少させる場合は空調コントローラ６０は、空調装置７０を更新後の設定値となるように空調装置７０を制御する。なお、この制御の具体的内容は、本発明とは関係しないため、説明を省略する。なお、本実施形態では、運転席側及び助手席側のそれぞれに温度設定が可能であり、空調コントローラ６０は、表示領域２２ａで表示される温度の設定値、及び表示領域２２ｂで表示される温度の設定値となるように、それぞれの運転席側及び助手席側の室内空間温度をコントロールする。
【００３１】
タッチパネル３０は、空調コントロール表示モードでは、表示デバイス２０の表示領域２３ａ，２３ｂ，２４ａ，２４ｂと相対する部位がタッチ操作（すなわち、入力操作）されると、そのときにその表示領域で検出した位置検出信号をＣＰＵ４０に入力する。
【００３２】
（オーディオコントロール表示モード）
図４に示すオーディオコントロール表示モードは、空調コントロール表示モードと一部が異なるため、空調コントロール表示モードと異なる部分について説明し、同じ領域には、同じ符号を付す。
【００３３】
同図に示すように、オーディオコントロール表示モードでは、表示デバイス２０の表示画面２１の上部において、左の部位の数値を示す表示領域２２ａには何も表示されないとともに、右の表示領域２２ｂはオーディオ装置８０の音のボリュームの設定値を表す領域となる。表示領域２２ｂで表示される音のボリュームは、設定項目に相当する。
【００３４】
また、オーディオコントロール表示モードでは、表示デバイス２０の表示画面２１において、操作方向のガイド表示領域２３ａ，２３ｂには何も表示されないのに対して、操作方向のガイド表示領域２４ａ，２４ｂは、操作方向を示す形状（例えば、矢印を示す形状）が表示される。すなわち、操作方向のガイド表示領域２４ａには、ボリュームを増加させたい場合のタッチ操作方向が表示される。操作方向のガイド表示領域２４ｂには、ボリュームを下げたい場合のタッチ操作方向が表示される。
【００３５】
オーディオコントロール表示モードでは、入力装置１０のＣＰＵ４０は、入力操作された音のボリュームの設定値に応じた信号をオーディオ装置８０に出力する。オーディオ装置８０は、前記信号に基づいて、音量を制御する。すなわち、音量のボリュームの設定値に応じた信号が、設定値を増加させる場合はオーディオ装置８０は、更新後の音量のボリューム（設定値）となるように音量を調整する。また、音量のボリュームの設定値に応じた信号が、設定値を減少させる場合はオーディオ装置８０は、更新後の設定値となるように音量を調整する。なお、この音量制御の具体的内容は、本発明とは関係しないため、説明を省略する。
【００３６】
タッチパネル３０は、空調コントロール表示モードでは、表示デバイス２０の表示領域２４ａ，２４ｂと相対する部位がタッチ操作（すなわち、入力操作）されると、そのときにその表示領域で検出した位置検出信号をＣＰＵ４０に入力する。
【００３７】
（第１実施形態の作用）
１．  空調コントロール表示モード
次に、上記のように構成された入力装置１０の作用を、図３のフローチャートを説明する。図３のフローチャートは、入力装置１０のＣＰＵ４０が、空調コントロール表示モード、又はオーディオコントロール表示モードのときに実行する設定値更新入力プログラムのフローチャートである。
【００３８】
なお、以下の説明では、図２に示す空調コントロール表示モードで入力装置１０の入力操作が行われた場合を説明する。
このプログラムは、入力装置１０の電源がオンされると起動される。
【００３９】
Ｓ１０で、ＣＰＵ４０は、ＣＰＵ４０が備えるタイマカウンタＣを０にリセットした後、Ｓ２０に移行する。なお、本実施形態ではタイマカウンタＣは、フリーランカウンタである。タイマカウンタＣのカウント周期は、例えば、数ｍｓｅｃ〜数十ｍｓｅｃの短い周期である。タイマカウンタＣは、計測手段に相当する。
【００４０】
Ｓ２０では、タイマカウンタＣが一定値Ｋ以上のカウント値になっているか、或いはオーバーフローとなっているか否かを判定する。なお、一定値Ｋは、後述する閾値Ａとは、Ｋ＞Ａの大小関係を有する。一定値Ｋは、短時間内で継続的に入力操作が行われたか、否かを判定するために概略的に判定するための値である。一定値Ｋ以上経過している場合は、継続的に入力操作がおこなわれていないとＣＰＵ４０は判定するのである。前記オーバーフローは、前記一定値Ｋを超えたカウント値で行われる。
【００４１】
タイマカウンタＣのカウント値がオーバーフロー或いは一定値よりも以上の場合は、前回の入力操作から時間的にかなり経過している場合である。
Ｓ２０で、タイマカウンタＣのカウント値がオーバーフロー或いは一定値よりも以上の場合は、ＣＰＵ４０は、Ｓ７０でタイマカウンタＣを０にリセットして、Ｓ３０に移行する。又、タイマカウンタＣのカウント値がオーバーフロー或いは一定値よりも未満の場合は、Ｓ３０に移行する。このため、最初に電源がオンされてＳ１０からＳ２０に移行した場合は、Ｓ２０で「ＮＯ」と判定されて、Ｓ３０に移行する。
【００４２】
Ｓ３０では、ＣＰＵ４０は、入力装置１０からのタッチ操作（入力操作）があったか否かを判定する。すなわち、入力操作があった場合は、タッチパネル３０の入力操作があった領域から位置検出信号が出力されるため、ＣＰＵ４０はこの位置検出信号に基づいてＳ３０において位置検出信号の入力があったか否かを判定する。
【００４３】
Ｓ３０において、位置検出信号が入力されていないと判定した場合、すなわち、タッチ操作がない場合は、ＣＰＵ４０は、Ｓ２０にリターンする。従って、ＣＰＵ４０は、入力操作がない場合は、Ｓ２０，Ｓ３０の処理、或いは、Ｓ２０，Ｓ７０，Ｓ３０の処理を繰り返す。また、Ｓ３０において、位置検出信号が入力されていると判定した場合は、ＣＰＵ４０はＳ４０に移行する。
【００４４】
Ｓ４０では、ＣＰＵ４０は、タッチ操作による位置検出信号が入力装置１０の電源がオンされてから、初めての位置検出信号か否かを判定するとともに、さらに初めての位置検出信号でない場合には、該位置検出信号が前回に入力操作された領域の位置検出信号か否かを判定する。
【００４５】
ＣＰＵ４０は、前記位置検出信号が、初めての位置検出信号の場合、または、初めての位置検出信号ではないが、前回に入力された領域の位置検出信号とは異なる領域での位置検出信号であると判定した場合は、Ｓ５０に移行する。このＳ５０に移行したとき、ＣＰＵ４０は、位置検出信号が初めての位置検出信号の場合、すでにＳ１０でタイマカウンタＣがリセットされているため、タイマカウンタＣをそのままカウントを開始させる。また、ＣＰＵ４０は、初めての位置検出信号ではないが、前回に入力され領域の位置検出信号とは異なる領域での位置検出信号であるとＳ４０で判定した場合は、タイマカウンタＣをリセットした後、タイマカウンタＣのカウントを開始させる。
【００４６】
ＣＰＵ４０は、Ｓ５０の処理の後、Ｓ６０で、標準の変化量（第１変化量ともいう）で設定値を更新させる信号を空調コントローラ６０に出力する。空調コントローラ６０は、この信号に基づいて、空調装置７０を制御して室内空間温度を変化させる。
【００４７】
すなわち、最新の位置検出信号が、図２のガイド表示領域２４ａに相対するタッチパネル３０の位置検出信号である場合には、このガイド表示領域２４ａが、現在の設定値（設定温度）を増加させるための領域であるため、標準の変化量で増加させる信号を空調コントローラ６０に出力し、空調コントローラ６０は、この信号に基づいて空調装置７０を制御して運転席側の室内空間温度を変化させる。
【００４８】
併せて、最新の位置検出信号が、ガイド表示領域２４ａに相対するタッチパネル３０の位置検出信号である場合には、ＣＰＵ４０は、表示デバイス２０を制御して表示領域２２ｂで表示している設定値の数字を、標準の変化量で増加させる。本実施形態では、標準の変化量を０．５℃としている。従って、標準の変化量で増加させる場合は、表示領域２２ｂに現在表示されている設定値から０．５℃増加する。図２の例では、現在の設定値（設定温度）が２４．０［℃］となっているため、ＣＰＵ４０は表示デバイス２０の表示領域２２ｂの表示を２４．５［℃］に変更する。
【００４９】
また、例えば、最新の位置検出信号が、図２のガイド表示領域２４ｂに相対するタッチパネル３０の位置検出信号である場合には、このガイド表示領域２４ｂが、現在の設定値（設定温度）を減少させるための領域であるため、標準の変化量で減少させる信号を空調コントローラ６０に出力し、空調コントローラ６０は空調装置７０を制御して運転席側の室内空間温度を変化させる。
【００５０】
併せて、最新の位置検出信号が、ガイド表示領域２４ｂに相対するタッチパネル３０の位置検出信号である場合には、ＣＰＵ４０は、表示デバイス２０を制御して表示領域２２ｂで表示している設定値の数字を、標準の変化量で減少させる。本実施形態では、標準の変化量を０．５℃としている。従って、標準の変化量で減少させる場合は、表示領域２２ｂに現在表示されている設定値から０．５℃減少する。図２の例では、現在の設定値（設定温度）が２４．０［℃］となっているため、ＣＰＵ４０は表示デバイス２０の表示領域２２ｂの表示を２３．５［℃］に変更する。
【００５１】
なお、上記は、ガイド表示領域２４ａ，２４ｂに相対するタッチパネル３０の領域で検出した位置検出信号の場合で説明したが、ガイド表示領域２３ａ，２３ｂに相対するタッチパネル３０の領域で検出した位置検出信号の場合も同様に、ＣＰＵ４０は、表示領域２２ａで現在表示されている設定値（温度設定値）を標準の変化量で増加または減少させる表示を表示デバイス２０に行わさせるとともに、空調コントローラ６０に標準の変化量で設定値を更新させる信号を出力する。この結果、空調コントローラ６０は、空調装置７０を制御して助手席側の室内空間温度を変化させる。
【００５２】
Ｓ６０の処理の後、ＣＰＵ４０は、Ｓ２０にリターンする。
Ｓ４０で、タッチ操作による位置検出信号が入力装置１０の電源がオンされてから、初めての位置検出信号ではなく、該位置検出信号が前回に入力操作された領域と同じ領域で検出された位置検出信号である場合には、ＣＰＵ４０は、ここでの判定を「ＮＯ」として、Ｓ８０に移行する。
【００５３】
Ｓ８０では、ＣＰＵ４０は、タイマカウンタＣのカウント値が閾値Ａ未満であるか否かを判定する。ＣＰＵ４０は、タイマカウンタＣのカウント値が閾値Ａ以上である場合には、Ｓ９０でタイマカウンタＣをリセットし、Ｓ５０でタイマカウンタＣのカウントを開始した後、Ｓ６０に移行する。
【００５４】
また、Ｓ８０でタイマカウンタＣのカウント値が閾値Ａ未満の場合には、連続してタッチ操作が行われた時間間隔が閾値Ａ未満であり、短い間隔でタッチ操作されたものとしてＣＰＵ４０は、Ｓ８０の判定を「ＹＥＳ」とした後、Ｓ１００でタイマカウンタＣをリセットし、続くＳ１１０でタイマカウンタＣのカウントを開始した後、Ｓ１２０に移行する。
【００５５】
Ｓ１２０では、ＣＰＵ４０は、標準の変化量とは異なる変化量（第２変化量ともいう）で設定値を更新させる信号を空調コントローラ６０に出力する。空調コントローラ６０は、前記信号に基づいて、空調装置７０を制御して室内空間温度を変化させる。
【００５６】
すなわち、最新の位置検出信号が、図２のガイド表示領域２４ａに相対するタッチパネル３０の位置検出信号である場合には、標準とは異なる変化量で増加させる信号を空調コントローラ６０に出力する。空調コントローラ６０は、この信号に基づいて空調装置７０を制御して運転席側の室内空間温度を変化させる。
【００５７】
併せて、ＣＰＵ４０は、表示デバイス２０を制御して表示領域２２ｂで表示している設定値の数字を、標準とは異なる変化量で増加させる。本実施形態では、標準とは異なる変化量を１．０度としている。従って、標準とは異なる変化量で増加させる場合は、表示領域２２ｂに現在表示されている設定値から１．０℃増加する。図２の例では、現在の設定値（設定温度）が２４．０［℃］となっているため、ＣＰＵ４０は表示デバイス２０の表示領域２２ｂの表示を２５．０［℃］に変更する。
【００５８】
また、例えば、最新の位置検出信号が、図２のガイド表示領域２４ｂに相対するタッチパネル３０の位置検出信号である場合には、標準とは異なる変化量で減少させる信号を空調コントローラ６０に出力する。空調コントローラ６０は、この信号に基づいて空調装置７０を制御し、運転席側の室内空間温度を変化させる。
【００５９】
併せて、ＣＰＵ４０は、表示デバイス２０を制御して表示領域２２ｂで表示している設定値の数字を、標準とは異なる変化量で減少させる。本実施形態では、標準とは異なる変化量を１．０℃としている。従って、標準とは異なる変化量で減少させる場合は、表示領域２２ｂに現在表示されている設定値から１．０℃減少する。図２の例では、現在の設定値（設定温度）が２４．０［℃］となっているため、ＣＰＵ４０は表示デバイス２０の表示領域２２ｂの表示を２３．０［℃］に変更する。
【００６０】
なお、上記は、ガイド表示領域２４ａ，２４ｂに相対するタッチパネル３０の領域で検出した位置検出信号の場合で説明したが、ガイド表示領域２３ａ，２３ｂに相対するタッチパネル３０の領域で検出した位置検出信号の場合も同様に、ＣＰＵ４０は、表示領域２２ａで現在表示されている設定値（温度設定値）を標準とは異なる変化量で増加または減少させる表示を表示デバイス２０に行わさせるとともに、空調コントローラ６０に標準とは異なる変化量で設定値を更新させる信号を出力する。空調コントローラ６０は、この信号に基づいて空調装置７０を制御して助手席側の室内空間温度を変化させる。Ｓ１２０の処理の後、ＣＰＵ４０は、Ｓ２０にリターンする。
【００６１】
２．  オーディオコントロール表示モード
次に、切替スイッチ５０が操作されて、入力装置１０の表示デバイス２０がオーディオコントロール表示モードで表示されている場合を、図３、図４を参照して説明する。なお、このモードで実行される設定値更新入力プログラムのフローチャートは、空調コントロール表示モードで実行されるプログラムのフローチャートと概要は同様であるが、一部が異なっているため、異なるところを中心に説明する。
【００６２】
（２．１  表示モードの相違について）
図４に示すように、表示デバイス２０はオーディオコントロール表示モードでは表示デバイス２０の表示画面２１において、操作方向のガイド表示領域２３ａ，２３ｂには何も表示されないのに対して、操作方向のガイド表示領域２４ａ，２４ｂは、操作方向を示す形状（例えば、矢印を示す形状）が表示される。また、同図に示すように、オーディオコントロール表示モードでは、表示デバイス２０の表示画面２１の上部において、左の部位の数値を示す表示領域２２ａには何も表示されないとともに、右の表示領域２２ｂはオーディオ装置８０の音のボリュームの設定値を表す領域となる。
【００６３】
オーディオコントロール表示モードにおいて、図３のフローチャートは、Ｓ１０，Ｓ２０，Ｓ４０，Ｓ５０，Ｓ７０，Ｓ８０，Ｓ９０，Ｓ１００，Ｓ１１０は、空調コントロール表示モードのときと同じであり、後述するようにＳ３０，Ｓ６０，Ｓ１２０の処理が異なる。
【００６４】
（２．２  Ｓ３０について）
Ｓ３０では、ガイド表示領域２４ａ，２４ｂに相対するタッチパネル３０の部位の位置検出信号の入力があったか否かを判定する。なお、ガイド表示領域２３ａ，２３ｂに相対するタッチパネル３０の部位の位置検出信号については、ＣＰＵ４０は無視する。
【００６５】
（２．３  Ｓ６０について）
また、Ｓ６０では、Ｖｏｌの標準の変化量（第１変化量）として、「１」とする。又、Ｖｏｌの標準の変化量は、「１」に限定されるものではない。例えば、Ｖｏｌの標準の変化量は、「０．５」等の小数点を有する数値でもよい。
【００６６】
Ｓ６０でＣＰＵ４０は、標準の変化量で設定値を更新させる信号をオーディオ装置８０に出力する。オーディオ装置８０は、この信号に基づいて、音量を変化させる。
すなわち、最新の位置検出信号が、図２のガイド表示領域２４ａに相対するタッチパネル３０の位置検出信号である場合には、オーディオ装置８０は、音量を増大させ、ガイド表示領域２４ｂに相対するタッチパネル３０の位置検出信号である場合には、音量を減少させる。
【００６７】
併せて、最新の位置検出信号が、ガイド表示領域２４ａに相対するタッチパネル３０の位置検出信号である場合には、ＣＰＵ４０は、表示デバイス２０を制御して表示領域２２ｂで表示している設定値の数字を、標準の変化量、例えば「１」で増加させる。従って、図４の例では、標準の変化量で増加させる場合は、表示領域２２ｂに現在表示されている設定値「１８」から「１」増加した「１９」に変更（更新）する。
【００６８】
また、最新の位置検出信号が、ガイド表示領域２４ｂに相対するタッチパネル３０の位置検出信号である場合には、ＣＰＵ４０は、表示デバイス２０を制御して表示領域２２ｂで表示している設定値の数字を、標準の変化量、例えば「１」で減少させる。従って、図４の例では、標準の変化量で減少させる場合は、表示領域２２ｂに現在表示されている設定値「１８」から「１」減少した「１７」に変更（更新）する。
【００６９】
（２．４  Ｓ１２０について）
Ｓ１２０では、標準と異なる変化量（第２変化量）として、例えば「２」とする。なお、標準の変化量と異なる数値は、「２」に限定されるものではなく、「３」以上の数値でもよく、標準の変化量よりも大なる数値でよい。
【００７０】
すなわち、最新の位置検出信号が、ガイド表示領域２４ａに相対するタッチパネル３０の位置検出信号である場合には、ＣＰＵ４０は、表示デバイス２０を制御して表示領域２２ｂで表示している設定値の数字を、標準の変化量とは異なる数値、標準の変化量を「１」とした場合、例えば「２」で増加させる。従って、図４の例では、標準の変化量で増加させる場合は、表示領域２２ｂに現在表示されている設定値「１８」から「２」増加した「２０」に変更（更新）する。
【００７１】
また、Ｓ１２０でＣＰＵ４０は、標準と異なる変化量で設定値を更新させる信号をオーディオ装置８０に出力する。オーディオ装置８０は、この信号に基づいて、前記設定値である「１８」よりも「２」増加させた分の音量に増大させる。
【００７２】
また、最新の位置検出信号が、ガイド表示領域２４ｂに相対するタッチパネル３０の位置検出信号である場合には、ＣＰＵ４０は、表示デバイス２０を制御して表示領域２２ｂで表示している設定値の数字を、標準の変化量、例えば「２」で減少させる。従って、図４の例では、表示領域２２ｂに現在表示されている設定値「１８」から「２」減少した「１６」に変更（更新）する。
【００７３】
また、Ｓ１２０でＣＰＵ４０は、標準と異なる変化量で設定値を更新させる信号をオーディオ装置８０に出力する。オーディオ装置８０は、この信号に基づいて、前記設定値である「１８」よりも「２」減少させた分の音量に低減させる。
【００７４】
本実施形態では、下記の特徴を有する。
（１）  本実施形態の入力装置１０は、表示デバイス２０（表示手段）と、表示デバイス２０の表示画面上に配置されてタッチ操作を検出するタッチパネル３０を備え、タッチパネル３０で検出したタッチ操作毎に表示デバイス２０で表示されている室内空間温度、音のボリューム（設定項目）の設定値を更新するとともに、室内空間温度、音のボリュームを制御する装置に対して更新後の設定値とするための信号を出力する。
【００７５】
そして、入力装置１０は、複数回連続操作された際のタッチ操作の時間間隔を計測するタイマカウンタＣ（計測手段）を備える。入力装置１０のＣＰＵ（制御手段）は、前記時間間隔が閾値Ａ未満のときと、閾値Ａ以上のときとでは、室内空間温度、音のボリュームの設定値の変化量が異なるように表示変更する。
【００７６】
この結果、本実施形態の入力装置１０によれば、簡単な構成により、室内空間温度、音のボリュームの設定値の変更のための入力操作性を向上できるとともにタッチパネル３０を長くとる必要がない。また、連続操作するタッチ操作の時間間隔を、閾値Ａ未満の時間間隔から閾値Ａ以上の時間間隔に変更する、或いは閾値Ａ以上の時間間隔から閾値Ａ未満未満の時間間隔に変更するだけで、室内空間温度、音のボリュームの設定値の変化量を変えることができる。
【００７７】
（２）  本実施形態の入力装置１０は、時間間隔が閾値Ａ未満のときは、時間間隔が閾値Ａ以上のときの設定値が変化する変化量よりも大なる変化量で設定値を増大するため、室内空間温度、音のボリューム（設定項目）の設定値の増大を早期に行うことができる。
【００７８】
（第２実施形態）
次に、第２実施形態を説明する。第２実施形態の入力装置１０のハード構成は第１実施形態と同一であり、下記のソフトの点で異なる。
【００７９】
すなわち、第１実施形態では、タッチ操作の時間間隔が閾値Ａ未満のときは、前記時間間隔が閾値Ａ以上のときの設定値が変化する変化量よりも大なる変化量で設定値を増大するようにしたが、第２実施形態では、設定値更新入力プログラムのフローチャートにおいて、タッチ操作の時間間隔が閾値Ａ未満のときは、前記時間間隔が閾値Ａ以上のときの設定値が変化する変化量よりも小なる変化量で設定値を減少させる。
【００８０】
すなわち、図３のフローチャートにおいて、Ｓ６０の処理をＳ１２０で行い、図１〜３の実施形態における、Ｓ１２０の処理をＳ６０で行うようにする。
このようにすることにより、タッチ操作の時間間隔が閾値Ａ未満のときは、タッチ操作の時間間隔が閾値Ａ以上のときの設定値が変化する変化量よりも小なる変化量で設定値が減少するため、室内空間温度、音のボリューム（設定項目）の設定値の減少を細かに行うことができる。
【００８１】
なお、本発明の実施形態は前記実施形態に限定されるものではなく、下記のように変更しても良い。
・  第１、第２実施形態の入力装置は、車両の空調装置及びオーディオ装置の入力装置を兼用するようにしたが、入力装置を車両の空調装置専用にしたり、オーディオ装置専用にすることも勿論可能である。この場合、前記実施形態において、切り替えスイッチを省略して、いずれか一方の機能のみを発揮できるようにすればよい。
【００８２】
・  第１、第２実施形態では、入力装置１０の配置は、運転席、助手席にすわった人が操作しやすい場所としているが、車両の後部座席側の車室内に設けられていても良い。
・  第１、第２実施形態では、タイマカウンタＣは、フリーランカウンタを採用して、Ｓ２０において、カウント値が一定値（＞閾値）を超えているか否かをチェックして、カウント値が一定値を超えている場合には、Ｓ７０に移行して、リセットするようにした。この構成に代えて、タイマカウンタＣを一定値（＞閾値）になると自動的にカウント値を０にリセットするタイプのものに変更してもよい。この場合は、図３のフローチャートのＳ２０、Ｓ７０を省略することができる。
【００８３】
・  前記実施形態では、設定値を増加及び減少させる場合のいずれも標準と異なる変化量を、同じ絶対値の数値（前記実施形態では「１」）としたが、同じである数値に限定されず、異なる数値であってもよい。
【００８４】
・  第１実施形態では、３回以上のタッチ操作が連続して行われて、その時間間隔がいずれも閾値Ａ未満であった場合でも、その変化量は同じとしている（図５（ａ）の実線参照）。
【００８５】
この構成に代えて、Ｓ８０で「ＹＥＳ」と判定した回数の履歴をとり、Ｓ８０で「ＹＥＳ」の判定が連続した場合、その連続した回数が大きくなる毎に、変化量を徐々に増大させてもよい。
【００８６】
例えば、空調コントロール表示モードのとき、Ｓ８０で「ＹＥＳ」と判定した回数が初めての場合（初回）、２回連続した場合（２回連続）、３回連続した場合（３回連続）、…Ｎ回連続としたとき、初回の変化量Ｄとしたとき、２回連続したときの場合は、変化量Ｄ＋ｄ１とし、３回連続したときの変化量Ｄ＋ｄ２、Ｎ回連続したときの変化量Ｄ＋ｄｎとしてもよい。なお、ｄｎは、正の整数でも、正の少数値でもよい。
【００８７】
この場合、ｄｎの値をｎが大きくなるほど値を大きくすると、図５（ｂ）のＬ１の曲線に沿った設定値が得られる。
また、ｄｎの値を、ｎが小さいときは、大きくしておき、ｎが大きくなるほど値を小さくすると、図５（ｂ）のＬ２の曲線に沿った設定値が得られる。
【００８８】
なお、オーディオコントロール表示モードの場合も同様にすることが可能である。
・  第２実施形態では、３回以上のタッチ操作が連続して行われて、その時間間隔がいずれも閾値Ａ未満であった場合でも、その変化量は同じとしている。
【００８９】
この構成に代えて、Ｓ８０で「ＹＥＳ」と判定した回数の履歴をとり、Ｓ８０で「ＹＥＳ」の判定が連続した場合、その連続した回数が大きくなる毎に、変化量を徐々に減少させてもよい。
【００９０】
例えば、空調コントロール表示モードのとき、Ｓ８０で「ＹＥＳ」と判定した回数が初めての場合（初回）、２回連続した場合（２回連続）、３回連続した場合（３回連続）、…Ｎ回連続としたとき、初回の変化量Ｄとしたとき、２回連続したときの場合は、変化量Ｄ＋ｄ１とし、３回連続したときの変化量Ｄ＋ｄ２、Ｎ回連続したときの変化量Ｄ＋ｄｎとしてもよい。なお、ｄｎは、正の整数でも、正の少数値でもよい。
【００９１】
なお、オーディオコントロール表示モードの場合も同様にすることが可能である。
【符号の説明】
【００９２】
１０…入力装置、２０…表示デバイス（表示手段）、３０…タッチパネル、
４０…ＣＰＵ、５０…切替スイッチ、６０…空調コントローラ、
７０…空調装置、８０…オーディオ装置、Ｃ…タイマカウンタ（計測手段）。
【図１】
0005707619.tif 000002
【図２】
0005707619.tif 000003
【図４】
0005707619.tif 000004
【図５】
0005707619.tif 000005
【図３】
0005707619.tif 000006